(57)【要約】【課題】ドアハンドルを待機位置に延伸させるために、いつドアハンドルを押し込むことを止めればよいかをユーザに知らせること。【解決手段】ハンドルレバー（１０２）がドアの外部パネルと同一面であるフラッシユ位置と、前記ハンドルレバーが延在し、ユーザが把持することができる待機位置と、内側押し込み位置との間で移動可能な前記ハンドルレバー（１０２）を有する連結装置を備える車両ドアハンドルであって、前記車両ドアハンドルは、ハンドルレバーベースに回転可能に接続されたハンドルレバーシャフトと、位置決め手段と、モータによって回転駆動され、前記ハンドルレバーシャフトを回転駆動する少なくとも１つの連結歯車と、電子制御ユニットとを備えており、前記電子制御ユニットは、前記ハンドルレバーにトルク抵抗を生ずるように、モータの短絡を起こすことができることを特徴とする。【選択図】図３
2021502506.tif 000002
【特許請求の範囲】
【請求項１】
ハンドルレバー（１０２）がドアの外部パネル（１００）と同一面であるフラッシユ位置と、前記ハンドルレバー（１０２）が延在し、前記ドアパネル（１００）を開けるためにユーザが把持することができる待機位置と、前記ハンドルレバー（１０２）が角度αで格納されている内側押し込み位置との間で移動可能な前記ハンドルレバー（１０２）を有する連結装置（２００）を備える車両ドアハンドル（１）であって、
−  ハンドルレバーベース（２１）に回転可能に接続されたハンドルレバーシャフト（２２）と、
−  前記ハンドルレバーシャフト（２２）の回転角αを検出することができる位置決め手段（５）と、
−  モータ（６）によって回転駆動され、前記ハンドルレバーシャフト（２２）を回転駆動する少なくとも１つの連結歯車（７０、８０）と、
−  前記位置決め手段（５）からの入力を受信し、前記モータ（６）に信号を送信することができる電子制御ユニット（９）とを備えており、
前記電子制御ユニット（９）は、前記ハンドルレバー（１０２）が内側に押し込まれた所定の回転角αに達すると、前記ハンドルレバー（１０２）にトルク抵抗が生ずるように、モータ（６）の短絡を起こすことができることを特徴とする車両ドアハンドル（１）。
【請求項２】
前記所定の回転角αは、
−２．３≦α≦−０．４
数式（１）
で表されることを特徴とする請求項１に記載の車両ドアハンドル（１）。
【請求項３】
前記所定の回転角αは、
−２≦α≦−０．５
数式（２）
で表されることを特徴とする請求項１または２に記載の車両ドアハンドル（１）。
【請求項４】
前記連結歯車（７０、８０）は、第１ウォームねじ（７２）および対応する第１ウォーム歯車（７３）を有する第１ウォーム駆動（７０）を備えていることを特徴とする請求項１から３のいずれか１項に記載の車両ドアハンドル（１）。
【請求項５】
前記連結歯車（７０、８０）は、前記第２ウォームねじ（８２）、対応する前記第２ウォーム歯車（８３）、および前記第１ウォーム歯車（７３）の回転運動を前記第２ウォームねじ（８２）に伝達することができる伝達シャフト（８１）を有する第２ウォーム駆動（８０）をさらに備えていることを特徴とする請求項４に記載の車両ドアハンドル（１）。
【請求項６】
前記モータ（６）は、回転軸（Ｂ）が前記伝達シャフト（８１）の回転軸（Ｃ）に直交するモータ軸（７１）を有することを特徴とする請求項５に記載の車両ドアハンドル（１）。
【請求項７】
前記モータ（６）は、回転軸（Ｂ）が前記ハンドルレバーシャフト（２２）の回転軸（Ａ）と平行である前記モータ軸（７１）を有することを特徴とする請求項５または６に記載の車両ドアハンドル（１）。
【請求項８】
前記位置決め手段（５）は、前記ハンドルレバーシャフト（２２）上で前記ハンドルレバーベース（２１）の反対側に配置された磁気センサであることを特徴とする請求項１から７のいずれか１項に記載の車両ドアハンドル（１）。
【請求項９】
前記ハンドルレバー（１０２）がクリック位置へ内側に押し込まれたとき、予負荷をかけられたプッシュ−プッシュユニット（４）を解放し、前記ハンドルレバー（１０２）を非電動状態で前記待機位置に押し出すために、前記ハンドルレバーシャフト（２２）と回転可能に連結されており、プッシュ−プッシュレバー（３１）を介して前記プッシュ−プッシュユニット（４）と相互作用する、プッシュ−プッシュレバーシリンダ（３）をさらに備えていることを特徴とする請求項１から８のいずれか１項に記載の車両ドアハンドル（１）。
【請求項１０】
予負荷をかけられた前記プッシュ−プッシュユニット（４）を解放し、前記ハンドルレバー（１０２）を非電動状態で前記待機位置に押し出すための前記クリック位置には、厳密に−２．３°を超える回転角αで到達するようにすることができることを特徴とする請求項９に記載の車両ドアハンドル（１）。
【請求項１１】
前記電子制御ユニット（９）は、前記ハンドルレバー（１０２）にトルク抵抗が発生した後、所定の時間（ｔ）に前記ハンドルレバー（１０２）を延在させ、または格納するように前記モータ（６）にさらに指示することができることを特徴とする請求項１から１０のいずれか１項に記載の車両ドアハンドル（１）。
【発明の詳細な説明】
【技術分野】
【０００１】
本発明は、車両ドアアセンブリに関し、特にフラッシユタイプのドアハンドルレバーを有する車両ドアアセンブリに関する。
【０００２】
このような車両ドアハンドルアセンブリは、作動するとハンドルレバーをフラッシユ位置と待機位置との間で動かすモータを備えている。フラッシュ位置では、ハンドルレバーはドア本体の外面と同一面である。待機位置では、ハンドルレバーは、ユーザが把持することができるように、ドア本体の外面から突出している。
【０００３】
ユーザが待機位置でハンドルレバーを把持し、さらに突出した、または延在したロック解除位置までハンドルレバーを引くことにより、ドアのラッチを解除することができる。ここで、ハンドルドアレバーは、ラッチメカニズムと（ボーデンケーブル、回転ピンまたは歯車機構を介して）相互作用することで、ドアのラッチを解除する。
【０００４】
モータは、ドアを開閉した後、ハンドルレバーを待機位置からフラッシュ位置に動かすこともできる。ハンドルレバースプリングは、ユーザがハンドルレバーを離すと、ハンドルレバーを待機位置に戻す。
【０００５】
このようなドアハンドルアセンブリはまた、例えば、モータまたはバッテリーが故障した場合、すなわちモータを起動できない場合に、ドアを開くことができるバックアップ機構を備えている。この機構は、例えば、プッシュ−プッシュ機構を備えており、ユーザは、ハンドルレバーを、フラッシユ位置または待機位置から、予負荷をかけられたスプリングが解放されるクリック位置に到達するまで、内側に深く押し込む。この予負荷をかけられたスプリングが解放されると、ハンドルレバーを内側のクリック位置から突出した、または延在した待機位置に押し出す。
【０００６】
ユーザがバックアップモードで車両にアクセスすると、バッテリーは、通常、再充電され、および／または、モータの故障が解消され、通常の電動作動を再開することができる。
【０００７】
通常の機能では、モータは、ウォーム駆動および歯車機構などの減速機構を介してハンドルレバーを動かし、トルク値を増加させながらモータの回転速度を減速させる。ユーザが、レバーに関連するハンドルを、フラッシユ位置からクリック位置まで押し込むと、この減速機構が逆に作動する。
【背景技術】
【０００８】
車両ドアの外面から平行に延在し、かつドアハンドルが外面と同一面になるまでドアハンドルを格納するドアハンドルアセンブリに関する特許文献１が知られている。このドアハンドルアセンブリは、平面ハンドル部材およびハンドルベース部材から形成されているドアハンドルを備えている。ハンドルベース部材に連結されている平面ハンドル部材と、ハンドルベース部材の裏側に連結されているスイングアームとは、ドアハンドルを延在させ、かつ格納する。第１の上部フォークは、第１のポスト部の遠位部の近くのハンドルベース部材の背面に回転可能に連結されており、第２の上部フォークは、第２のポスト部の遠位部の近くのハンドルベース部材の背面に回転可能に連結されている。スイングアームの下部デュアルフォーク部は、内側のドア面に取り付けられているシャフトの周りを旋回する。しかし、車両ハンドルを延在させるために、ユーザが手で平面ハンドル部材を内側に押し込む際に、ユーザは、どのくらい深く押し込めばよいのか、つまりいつ押し込むこと止めればよいかが分からない。
【０００９】
特許文献２も知られている。本発明は、車両ドアのハンドルに関し、ドアのラッチを解除するために車両ドアのラッチを作動させるようになっている起動部材と、ドアのラッチを解除するために起動部材と協働するようになっている把持部材とを備えている。把持部材は把持部を備えており、把持部材は、把持部がドアの外部パネルと同一面に延在するフラッシユ位置と、把持部が外部パネルに対して突出し、把持することができ、かつ把持部材が起動部材と協働する作動位置と、ラッチを作動させてドアのラッチを解除するために把持部材が起動部材を駆動する開位置との間で移動することができ、把持部材がフラッシユ位置と作動位置との間で駆動することができるように、駆動機構とアクチュエータレバーとは、把持部材と協働し、把持部材が開方向に沿って引かれると、ハンドルにおいては、把持部材が起動部材を駆動し、次にドアのラッチを解除するために起動部材がラッチを作動するようになっている。しかし、特許文献２の記載では、車両ハンドルを延在させるために、ユーザが手で平面ハンドル部材を内側に押し込む際に、ユーザは、どのくらい深く押し込めばよいのか、つまりいつ押し込むこと止めればよいかが分からない。
【先行技術文献】
【特許文献】
【００１０】
【特許文献１】米国特許出願公開第２０１３／００７６０４７号明細書
【特許文献２】欧州特許出願公開第３１０６５９４号明細書
【発明の概要】
【発明が解決しようとする課題】
【００１１】
本発明により解決しようとする課題は、電動状態かつ審美的状態でドアハンドルを延在させるために、いつドアハンドルを押し込むことを止めればよいかをユーザに知らせることである。
【課題を解決するための手段】
【００１２】
従来技術で特定された問題点を解消するために、本発明の目的は、ハンドルレバーがドアの外部パネルと同一面であるフラッシユ位置と、前記ハンドルレバーが延在し、前記ドアパネルを開けるためにユーザが把持することができる待機位置と、前記ハンドルレバーが角度αで格納されている内側押し込み位置との間で移動可能な前記ハンドルレバーを有する連結装置を備える車両ドアハンドルを提供することであり、前記車両ドアハンドルは、
−  ハンドルレバーベースに回転可能に接続されたハンドルレバーシャフトと、
−  前記ハンドルレバーシャフトの回転角αを検出することができる位置決め手段と、
−  モータによって回転駆動され、前記ハンドルレバーシャフトを回転駆動する少なくとも１つの連結歯車と、
−  前記位置決め手段からの入力を受信し、前記モータに信号を送信することができる電子制御ユニットとを備えており、
前記電子制御ユニットは、前記ハンドルレバーが内側に押し込まれた所定の回転角αに達すると、前記ハンドルレバーにトルク抵抗が生ずるように、モータの短絡を起こすことができることを特徴としている。
【００１３】
好ましい実施形態では、前記所定の回転角αは、次式で表される。
−２．３≦α≦−０．４
数式（１）
【００１４】
こうして、動きを早期に検出することができ、かつ電動ドアハンドル延伸部を起動することができる。
【００１５】
さらなる改良では、前記所定の回転角αは、次式で表される。
−２≦α≦−０．５
数式（２）
【００１６】
こうして、より正確で再現性のある動きを検出することができ、かつ電動ドアハンドル延伸部を起動することができる。
【００１７】
好ましくは、前記連結歯車は、第１ウォームねじおよび対応する第１ウォーム歯車を有する第１ウォーム駆動を備えている。これにより、前記第１ウォームねじおよび前記第１ウォーム歯車に含まれる螺旋状の歯により前記連結歯車のノイズが減少する。
【００１８】
さらに好ましい実施形態では、抵抗トルクを増加させて、前記ユーザに所望の角度に到達したことを通知するために、前記連結歯車は、前記第２ウォームねじ、対応する前記第２ウォーム歯車、および前記第１ウォーム歯車の回転運動を前記第２ウォームねじに伝達することができる伝達シャフトを有する第２ウォーム駆動をさらに備えている。
【００１９】
本発明によれば、ハンドルフレームの容積を減らし、ドアフレームを薄くするために、前記モータは、回転軸が前記伝達シャフトの回転軸に直交するモータ軸を有することが好ましい。
【００２０】
本発明によれば、前記ハンドルフレームの容積を減らし、前記ドアフレームの厚さを節約するために、前記モータは、回転軸が前記ハンドルレバーシャフトの回転軸と平行であるモータ軸を有することも好ましい。
【００２１】
本発明のさらなる改良によれば、前記位置決め手段は、回転角の精度を改善するために、前記ハンドルレバーシャフト上で前記ハンドルレバーベースの反対側に配置された磁気センサである。
【００２２】
本発明による車両ドアハンドルは、前記ハンドルレバーがクリック位置へ内側に押し込まれたとき、予負荷をかけられたプッシュ−プッシュユニットを解放し、前記ハンドルレバーを非電動状態で前記待機位置に押し出すために、前記ハンドルレバーシャフトと回転可能に連結されており、プッシュ−プッシュレバーを介して前記プッシュ−プッシュユニットと相互作用する、プッシュ−プッシュレバーシリンダをさらに含むことができる。これにより、電気系統に障害が発生し、モータが作動不能になった場合に、機械的機構により完全にバックアップすることができる。
【００２３】
さらに、予負荷をかけられた前記プッシュ−プッシュユニットを解放し、前記ハンドルレバーを非電動状態で前記待機位置に押し出すための前記クリック位置には、厳密に−２．３°を超える回転角αで到達するようにすることができる。こうして、電気系統に障害がない場合は、バックアップ機構の不本意な起動を回避することができる。
【００２４】
さらに、前記電子制御ユニットは、前記ハンドルレバーにトルク抵抗が発生した後、所定の時間（ｔ）に前記ハンドルレバーを延在させ、または格納するように前記モータにさらに指示することができる。こうして、本発明による機構を異なる始動位置で使用することができる。たとえば、待機位置から内側に押し込んだ後、格納指示を出すことができる。
【００２５】
本発明によるドアハンドルでは、ドアハンドルレバーベースによって伝達されるドアハンドルによって反力が加えられる。このような反力は、電動ドアハンドル延伸部を起動させるのに十分な深さまでドアハンドルを押し込んだことをユーザに知らせる。
【００２６】
こうして、車両制御ユニットおよび／またはドア制御ユニットが、所定の角度αに達したという位置決め手段からの信号を検出したときに、ユーザは、メッセージを受け取る。この位置決め手段は、角度精度を改善するためにハンドルレバーシャフトに配置されたセンサであることが好ましい。
【００２７】
位置決め手段の出力、例えばセンサ出力は、ドアハンドルおよび／または車両の制御ユニットが受信する。モータの短絡のコマンドは、モータの正と負の端子を接続することによって、制御ユニットから送信される。その結果、ハンドルレバーが内側に押し込まれると、追加の負荷がかかり抵抗が増加する。反転により、モータ軸に高い抵抗トルクが発生する。このようなトルクは、本発明によるウォーム駆動機構またはドアハンドルのギアボックスによってハンドルレバーベースに伝達され、ロック解除ポイントに到達したことをユーザは感知する。本発明による２段減速機構を使用する場合、モータの短絡によって得られる追加のトルクは、６０倍以上に増幅される。
【発明の効果】
【００２８】
ユーザは、バックアッププッシュ−プッシュ機械システムをさらに押し込み、潜在的に活性化させる代わりに、追加の負荷を感じて、適切なタイミングでプッシュ動作を停止する。
【００２９】
ユーザは、バックアッププッシュ−プッシュ機械システムをさらに押し込み、潜在的に活性化させる代わりに、追加の負荷を感じて、適切なタイミングでプッシュ動作を停止する。
【００３０】
本発明の利点は、ドアハンドル用のバッテリー残量が少ない場合に、このモータの短絡の追加の負荷を作動させず、本発明によるドアハンドルの延伸部の安全（バックアップ）機構を妨げないことである。
【図面の簡単な説明】
【００３１】
【図１】異なる位置で表されるハンドルレバーを含むドアハンドルを備えた車両ドアの模式的断面図である。
【図２】本発明による車両ドアハンドルの模式的側面図である。
【図３】第１変速段を示すドアハンドルアクチュエータの側面図である。
【図４】図３の軸Ａに直交する平面に沿った第２変速段を示すドアハンドルアクチュエータの正面図である。
【図５】ロック解除の機械的応答を起動するプッシュ機構を示す図である。
【図６】ロック解除の機械的応答を起動するプッシュ機構の説明図である。
【図７】本発明の要素間のリンクを示す図である。
【発明を実施するための形態】
【００３２】
本発明の特徴および利点は、図面に示す本発明の例示的かつ非限定的な実施形態に関する以下の説明を読むことにより、明らかになると思う。
【００３３】
すべての図において、同じ構成要素には同じ符号を付してある。
【００３４】
図面は、本発明の適切な実施形態を示しているが、この実施形態を組み合わせることにより、またはこれをわずかに変更することにより、他の実施形態を得ることができる。以下において、「内向き」、「外向き」などの用語は、それぞれ車両の内側および外側を指している。
【００３５】
図１は、ドアハンドル１が組み込まれている車両のドアパネル１００の一連の模式的断面図である。ドアパネル１００は、車両の外面を形成し、ドアハンドル１は、実質的に、ハンドルレバー１０２、すなわち、ユーザが把持して動かす部分、とハンドルフレーム１０１、すなわち、ハンドルレバー１０２の作動中に動かない部分、とによって示してある。
【００３６】
図１の最初の断面図１ａでは、ハンドルレバー１０２は、フラッシユ位置にある。このフラッシユ位置では、ハンドルレバー１０２の外面は、ドアパネル１００と同一面である。このフラッシユ位置は、車両を運転しているとき、または長時間駐車しているときの位置である。フラッシユ位置では、ハンドルレバー１０２は、駐車中は、通行人によって偶然または故意に動かされる可能性が低く、また運転中は、空気抵抗を減少させている。フラッシユ位置では、ハンドルレバー１０２は、体裁が良く、かつ目立たないようにドアパネル１００に組み込まれているように見える。
【００３７】
図１の２番目の断面図１ｂでは、ハンドルレバー１０２は、待機位置にある。この待機位置では、ハンドルレバー１０２は、ユーザが把持することができるように、ハンドル軸Ａの周りに所定の角度、例えば２０°〜４５°だけ外向きに回転している。ドアハンドルレバー（１０２）がドアパネルと同一面である場合、角度αは０°に等しく、三角基準は図１の正と負の角度を明確にするために使用される。この待機位置は、ユーザが車両に近づき、例えばキーまたはＲＦＩＤセキュリティトークンに組み込まれたリモートコントロールを使用するか、ドアフレームまたはドアフレームの近くにあるボタンを押すことで、ドアのロックを解除するときの位置である。この位置では、ユーザは、ハンドルレバー１０２を利用することができ、把持することができる。
【００３８】
図１の３番目の断面図１ｃでは、ハンドルレバー１０２は、開位置にある。待機位置と比較して、ハンドルレバー１０２は、ユーザによって、例えば４０°〜６０°およびそれ以上の角度だけ更に外向きに回転させられている。ハンドルレバー１０２は、ラッチ機構と相互作用してドアのラッチを解除する。その結果、ラッチは解除され、ハンドルレバー１０２をさらに引くことにより、ドアを開ける準備が整う。
【００３９】
図１ｄは、アクチュエータを起動し、車両ドアハンドルを延在させるために、ハンドルレバー１０２がセンサによって検出された角度αで内側に押し込まれている時の状況を表している。図１ｄでは、ドアハンドルは、図１ｄの三角基準を使用して、−０．４°〜−２．３°の角度αで内側に押し込まれている。この角度は、ドアハンドルレバーベース２１に配置されたセンサによって検出される。次に、制御ユニット９は、モータ駆動アクチュエータを起動し、車両ドアハンドルを延在させる。
【００４０】
ハンドルレバー１０２をフラッシユ位置から待機位置に駆動する機構が機械的または電気的に故障した場合、ユーザは、ハンドルレバー１０２に内向きの圧力Ｐを加えることにより、−２．４°〜−５°の角度αでドアパネル１００に対してレバー１０２を内側に深く押し込むことができる。この場合、ハンドルはクリック位置と呼ばれる位置に達し、ここで「クリック」と呼ばれる機械的相互作用により、プッシュ−プッシュユニット４のプッシュ−プッシュスプリング４１が解放される。プッシュ−プッシュユニット４は、ハンドルレバーシャフト２２に回転固定式に接続されたプッシュ−プッシュレバー３１を介してモータを作動させることなく、ハンドルレバー１０２を待機位置に駆動する。
【００４１】
したがって、ドアハンドル延伸部を待機位置に起動するには、２つの工程がある。第１の工程は、−０．４°〜−２．３°の角度αで押し込み、電動アクチュエータを用いてドアハンドル延伸部を起動させること、第２のバックアップ工程は、−２．４°〜−５°の角度αでの押し込みを含む機構の電気的障害の場合に使用され、バックアッププッシュ−プッシュ非電動機構を用いてドアハンドル延伸部を起動させることである。
【００４２】
図２では、ハンドルレバー１０２は、車両ドアパネル１００の内面に取り付けられたハンドルフレーム１０１に対して回転可能である。ハンドルフレーム１０１内には、ドアハンドル１のほとんどの部品が収容されている。
【００４３】
ハンドルフレーム１０１のハウジング内には、図３に示されている減速機構（７０、８０）を有するモータ６が設けられている。モータ６は、車両のバッテリーからの電流によって作動する。減速機構（７０、８０）は、回転速度を下げ、トルク値を増加させることにより、モータ６の回転出力運動を調整している。減速機構（７０、８０）は、ハンドルレバー１０２をフラッシユ位置から待機位置まで、または逆に待機位置からフラッシユ位置まで動かす。
【００４４】
減速機構（７０、８０）は、例えば、減速ホイール歯車システムおよび／またはウォーム歯車システムを有する１つ以上の減速段を備えている。この実施形態では、図３および図４は、変速機または連結装置２００のステージ１およびステージ２を示している。ステージ１は７０で表され、ステージ２は８０で表されている。
【００４５】
図３および図４では、連結装置２００は、ハンドルレバーベース２１から軸方向に延びるハンドルレバーシャフト２２と、減速機構（７０、８０）とを備えている。
【００４６】
減速機構は、第１減速段７０と第２減速段８０とを備えており、それぞれがウォーム駆動、すなわち、ウォームねじがウォーム歯車と噛み合う歯車配列であり、ここでは、ウォームねじである螺旋状の歯を有する歯車である。したがって、第１減速段７０のウォーム駆動は、図３に示す第１ウォームねじ７２と第１ウォーム歯車７３とを備えており、第２減速段８０のウォーム駆動は、図４に示す第２ウォームねじ８２と第２ウォーム歯車８３とを備えている。
【００４７】
図３に示す第１減速段７０の第１ウォームねじ７２は、モータ６により加えられるトルクによって動かされる。次に、この第１減速段７０の第１ウォームねじ７２は、第１ウォーム歯車７３に第１軸Ａに直交する第２軸Ｃの周りで回転運動をさせる。第１ウォーム歯車７３の回転運動は、伝達シャフト８１（図３参照）によって第２減速段８０の第２ウォームねじ８２に伝達される。ドアハンドルアセンブリの容積を減らすために、ハンドルレバーシャフト２２の回転軸Ａとモータシャフト７１の回転軸Ｂとは、平行であり、両方の軸（Ａ、Ｂ）は、伝達シャフト８１の軸Ｃに直交している。
【００４８】
第２減速段８０の第２ウォームねじ８２は、第２ウォーム歯車８３を作動させる。第２ウォーム歯車８３は、ハンドルレバーシャフト２２に回転可能に連結されている。特に、この実施形態では、第２ウォーム歯車８３は、ハンドルレバーシャフト２２のハンドルレバーベース２１と反対側の部分を形成している。
【００４９】
第２ウォーム歯車８３は、図４のハンドルレバーシャフト２２の下方軸部を形成する管状体を備えており、その下部は、ウォーム駆動を形成するために、第２ウォーム歯車８３と噛み合う螺旋歯を担持している。プッシュプッシュレバー３１は、第２ウォーム歯車８３の管状体から径方向に突出している。
【００５０】
２段階減速機構（７０、８０）は、連結装置２００を動かす。連結装置２００は、ハンドルレバー１０２を組み立てるためのハンドルレバー体（図示せず）を連結するハンドルレバーベース２１を備えている。
【００５１】
ハンドルフレーム１０１は、２つのガイドロッド４４の周りに配置されている２つのプッシュ−プッシュスプリング４１を備えたプッシュ−プッシュユニット４も収容している。プッシュ−プッシュスプリング４１は、解除されると、連結装置２００のプッシュ−プッシュレバー３１（図２参照）を押すことができるプッシュ−プッシュフィンガー４６を担持しているスライダー４３を押し出す。プッシュ−プッシュフィンガー４６は、特に、ゴム、軟質プラスチック、または任意の衝撃吸収材料でできている。
【００５２】
プッシュ−プッシュスプリング４１およびガイドロッド４４は、解除機構４２の両側に配置されており、クリック位置まで押し込まれると、解除機構４２は、スライダー４３を解除し、次にスライダー４３は、ガイドロッド４４に沿ってプッシュ−プッシュスプリング４１によって押し出され、プッシュ−プッシュレバー３１を押し出す。したがって、ハンドルレバー１０２を回転させて待機位置まで駆動する。
【００５３】
ハンドルレバー１０２の回転位置は、連結装置２００の下部に設けることができる位置決め手段５によって検出される。この位置決め手段５は、磁気インデックスおよび磁気センサ（例えば、ホール効果センサ）を備えている。磁気インデックスは、ハンドルレバー１０２と共に回転し、磁気センサは、磁気インデックスの正確な回転位置、すなわちハンドルレバー１０２の正確な位置を決定する。
【００５４】
力、力の変化、距離またはストローク、電気抵抗または電気抵抗の変化、さらには変形を検出できる限り、センサは、機械的、電気機械的、磁気的、圧電的とすることができることに留意すべきである。重要な点は、電子制御ユニットから受信した情報を検出および処理して信号に変換できることである。
【００５５】
好ましい実施形態では、位置決め手段は、ハンドルレバーを直接位置決めする磁気センサユニットである。このような位置決めの効果は、アクチュエータの位置決めと相関がないため、磁気センサがハンドルの位置を直接感知していることである。運動連鎖が減少するため、つまり累積クリアランスが減少するため、感知精度が向上する。
【００５６】
第２ウォーム歯車８３およびプッシュ−プッシュレバーシリンダ３は、ハンドルレバーシャフト２２の２つの軸部分に対応し、軸方向に離間してハンドルレバーシャフト２２を囲んでいる。
【００５７】
このハンドルレバーシャフト２２は、ハンドルレバーベース２１、第２ウォーム歯車８３およびプッシュ−プッシュレバーシリンダ３と回転するように連結されており、特に、これらは強固に連結することができる。
【００５８】
第２ウォーム歯車８３は、螺旋状の噛み合い歯８３１によって、その軸側部の一部が覆われている管状体を備えており、例えば第１任意段のようなウォーム歯車リンクを介してモータ６と直接的または間接的に協働している。本発明によるドアハンドルを示す図５では、押し込む際の、ハンドルレバー１０２の様々な位置を表している。フラッシュ位置では、角度αはゼロと見なされている。
【００５９】
本発明によるドアハンドルでは、ハンドルレバーベース２１によって伝達されるドアハンドルによって反力が加えられる。このような反力は、電動ドアハンドル延伸部を起動させるのに十分な深さまでドアハンドルを押し込んだことをユーザに知らせる。
【００６０】
こうして、車両制御ユニット９および／またはドア制御ユニット９が、位置決め手段５から、−０．４°〜−２．３°の角度αに達したという信号を検出したときに、ユーザは、メッセージを受け取る。この位置決め手段は、角度精度を改善するために、ハンドルレバーシャフトに配置されたセンサであることが好ましい。
【００６１】
位置決め手段５の出力、例えばセンサ５の出力は、ドアハンドル１および／または車両の制御ユニット９が受信する。モータの短絡のコマンドは、モータ６の正と負の端子を接続することによって、制御ユニット９から送信される。その結果、ハンドルレバーが内側に押し込まれると、追加の負荷がかかり抵抗が増加する。反転により、モータ軸に高い抵抗トルクが発生する。このようなトルクは、本発明によるウォーム駆動機構またはドアハンドルのギアボックスによってハンドルレバーベースに伝達され、ロック解除ポイントに到達したことをユーザは感知する。本発明による２段減速機構（７０、８０）を使用する場合、モータ６の短絡によって得られる追加のトルクは、６０倍以上に増幅される。
【産業上の利用可能性】
【００６２】
本発明によるドアハンドル用の連結装置は、動作を起動するために、位置決め手段、モータ、および特定のストローク範囲内のユーザからの動作を使用する如何なる用途の如何なるシステムにおいて使用することができる。
【符号の説明】
【００６３】
１        ドアハンドル
３        プッシュ−プッシュレバーシリンダ
４        プッシュ−プッシュユニット
５        位置決め手段
６        モータ
９        制御ユニット
２１      ハンドルレバーベース
２２      ハンドルレバーシャフト
３１      プッシュ−プッシュレバー
４１      プッシュ−プッシュスプリング
４２      解除機構
４３      スライダー
４４      ガイドロッド
４６      プッシュ−プッシュフィンガー
７０      第１減速機構（第１減速段）
７１      モータシャフト
７２      第１ウォームねじ
７３      第１ウォーム歯車
８０      第２減速機構（第２減速段）
８１      伝達シャフト
８２      第２ウォームねじ
８３      第２ウォーム歯車
１００    ドアパネル
１０１    ハンドルフレーム
１０２    ハンドルレバー
２００    連結装置
Ａ        第１軸
Ｂ        回転軸
Ｃ        第２軸
【図１ａ】
2021502506.tif 000003
【図１ｂ】
2021502506.tif 000004
【図１ｃ】
2021502506.tif 000005
【図１ｄ】
2021502506.tif 000006
【図２】
2021502506.tif 000007
【図３】
2021502506.tif 000008
【図４】
2021502506.tif 000009
【図５】
2021502506.tif 000010
【図６】
2021502506.tif 000011
【図７】
2021502506.tif 000012
【国際調査報告】
2021502506.tif 000013
2021502506.tif 000014